(57)【特許請求の範囲】
【請求項１】
縦樋をバルコニーの建物外壁側端部近傍に設けた排水構造であって、バルコニーの床部における縦樋配置箇所に、建物外壁側端部からバルコニーの先端立上り部に至る開口が形成され、当該開口には、床面の先端立上り部側に形成された側溝に集められた雨水を前記縦樋に排水するための排水溝ユニットが嵌め込まれていることを特徴とするバルコニーの排水構造。
【請求項２】
請求項１に記載のバルコニーの排水構造に用いる排水溝ユニットであって、上面に排水溝が形成されたユニット本体と、排水溝の水下側端部において上下に貫通する状態にユニット本体と一体化され、上下に縦樋を連結可能なルーフドレーンと、ユニット本体の両側面から突出した複数本の位置決め用鉄筋とを備えて成ることを特徴とする排水溝ユニット。
【請求項３】
ユニット本体が、肉厚内部に発泡スチロールの充填された空洞部を有するガラス繊維補強セメント成型品であることを特徴とする請求項２に記載の排水溝ユニット。
【請求項４】
ユニット本体に対する現場でのモルタル塗り作業によって排水溝に排水勾配を付けるようにしたことを特徴とする請求項２又は３に記載の排水溝ユニット。
【発明の詳細な説明】
【技術分野】
【０００１】
本発明は、例えば、多層集合住宅、ホテルや病院等のバルコニーの排水構造に関する。
【背景技術】
【０００２】
多層集合住宅等のようなバルコニーの付いた建物においては、バルコニーの床部上面に外下がりの排水勾配ａが付けられ、バルコニーに降り込んだ雨水を先端立上り部（パラペット部）に沿って形成された床面の側溝に集めるように構成されている。そして、図１１や特許文献１に示すように、側溝７ｃの一部にスラブを貫通する状態に設けられた集水口（ルーフドレーン４）から、バルコニー７のスラブ下に設けられた呼び樋（横引き配管）Ｘを経て、下階の建物外壁側端部近傍に設けられた縦樋（縦配管）８へと排水する排水構造が採用されている。
【０００３】
しかしながら、このようなバルコニーの排水構造では、建物を外部から見上げた際、スラブ下の呼び樋（横引き配管）Ｘが目について、外観がすっきりしないというデザイン上の問題があった。また、バルコニー７のスラブ下に呼び樋（横引き配管）Ｘを取り付ける際、バルコニー端部での上向きの高所作業が必要となり、安全確保に厳重な配慮が要求され、施工性にも難があった。
【０００４】
縦樋をバルコニーの先端側に設け、側溝内に設置したルーフドレーンから縦樋に直接雨水が流れ込むように構成することによって、スラブ下の呼び樋（横引き配管）を省略したバルコニーの排水構造も、特許文献２によって提案されている。しかし、このバルコニーの排水構造では、縦樋がバルコニーの先端側に設けられるため、縦樋をバルコニーの建物外壁側端部近傍（外壁に沿った位置）に設けた場合よりも、縦樋が目立つことになり、同様にデザイン上の問題が生じる。
【０００５】
尚、縦樋をバルコニーの建物外壁側端部近傍に設けた排水構造において、スラブ下の呼び樋（横引き配管）を省略する手法としては、バルコニーの床部上面に住戸側が低くなるような内下がりの排水勾配を付けて、側溝を建物外壁側端部に設ける案や、外下がりに傾斜したバルコニーの一部に、逆向きの排水勾配を付けた排水溝を形成し、バルコニー先端側の側溝に集められた雨水をこの排水溝によって建物外壁側の縦樋へと流下案内するように構成する案が考えられる。
【０００６】
しかし、前者による場合は、排水勾配や側溝のために、最も耐力を必要とするバルコニーの建物外壁側端部のスラブ厚が薄くなり、クラックを生じる懸念がある。後者による場合も、バルコニーの床部上面の一部に逆勾配の排水溝を形成することによって、排水溝の位置では、スラブ厚が薄くなり、クラックを生じる懸念がある。そのため、縦樋をバルコニーの建物外壁側端部近傍に設けた排水構造においては、外観デザインを犠牲にしても、呼び樋形式とせざるを得なかったのが実情である。
【先行技術文献】
【特許文献】
【０００７】
【特許文献１】特開平８−１９３３９３号公報
【特許文献２】特開２００１−２４１１５２号公報
【発明の概要】
【発明が解決しようとする課題】
【０００８】
本発明は、上記の問題点を踏まえてなされたものであって、その目的とするところは、
縦樋をバルコニーの建物外壁側端部近傍に設けた排水構造において、呼び樋（横引き配管）を省略し、スラブ下のすっきりした美麗な外観が得られるにもかかわらず、建物外壁側スラブ下へのクラック発生を防止できるようにした施工性の良いバルコニーの排水構造と、それに用いるのに好適な排水溝ユニットを提供することにある。
【課題を解決するための手段】
【０００９】
上記の目的を達成するために、本発明が講じた技術的手段は、次の通りである。即ち、請求項１に記載の発明は、縦樋をバルコニーの建物外壁側端部近傍に設けた排水構造であって、バルコニーの床部における縦樋配置箇所に、建物外壁側端部からバルコニーの先端立上り部に至る開口が形成され、当該開口には、床面の先端立上り部側に形成された側溝に集められた雨水を前記縦樋に排水するための排水溝ユニットが嵌め込まれていることを特徴としている。
【００１０】
請求項２に記載の発明は、請求項１に記載のバルコニーの排水構造に用いる排水溝ユニットであって、上面に排水溝が形成されたユニット本体と、排水溝の水下側端部において上下に貫通する状態にユニット本体と一体化され、上下に縦樋を連結可能なルーフドレーンと、ユニット本体の両側面から突出した複数本の位置決め用鉄筋とを備えて成ることを特徴としている。
【００１１】
請求項３に記載の発明は、請求項２に記載の排水溝ユニットであって、ユニット本体が、肉厚内部に発泡スチロールの充填された空洞部を有するガラス繊維補強セメント成型品であることを特徴としている。
【００１２】
請求項４に記載の発明は、請求項２又は３に記載の排水溝ユニットであって、ユニット本体に対する現場でのモルタル塗り作業によって排水溝に排水勾配を付けるようにしたことを特徴としている。
【発明の効果】
【００１３】
請求項１に記載の発明によれば、縦樋をバルコニーの建物外壁側端部近傍に設けた排水構造であるにもかかわらず、床部の開口に嵌め込まれた排水溝ユニットによって、床面の先端立上り部（パラペット部）側に形成された側溝から前記縦樋へと雨水を排水するので、スラブ下の呼び樋（横引き配管）が省略され、スラブ下のすっきりした美麗な外観が得られる。
【００１４】
それでいて、バルコニーの床部に、建物外壁側端部からバルコニーの先端立上り部に至る開口を形成することにより、バルコニーを構造的に開口部扱いとし、開口に排水溝ユニットを嵌め込むので、スラブ厚が薄くなることに起因する建物外壁側スラブ下へのクラック発生を防止できる。
【００１５】
また、スラブ下に呼び樋（横引き配管）を取り付けるためのバルコニー端部における上向きの高所作業が無くなるので、施工性が良く、安全性も向上することになる。
【００１６】
請求項２に記載の発明によれば、上面に排水溝が形成されたユニット本体と、排水溝の水下側端部において上下に貫通する状態にユニット本体と一体化され、上下に縦樋を連結可能なルーフドレーンと、ユニット本体の両側面から突出した複数本の位置決め用鉄筋とを備えて成る排水溝ユニットであるから、この排水溝ユニットを用いることにより、請求項１に記載の発明に係るバルコニーの排水構造を容易に実現し得る。
【００１７】
即ち、排水溝ユニットを、バルコニー用型枠の所定位置に配置し、ユニット本体の両側面から突出した位置決め用鉄筋でスラブ筋に固定した状態で、バルコニーのスラブコンク
リートを打設することにより、排水溝ユニットが開口に嵌め込まれた状態に打ち込まれ、バルコニーと一体化されることになる。従って、バルコニーの床部に開口を形成するための型枠やその脱型作業が不要であり、さらに、上面に排水溝が形成されたユニット本体と、排水溝の水下側端部においてユニット本体を上下に貫通するルーフドレーンとが一体化されているため、バルコニーに対する個別的な取付け作業が不要で、施工性が良く、安定した高い品質が確保される。これらの結果として、請求項１に記載の発明に係るバルコニーの排水構造を容易に実現し得るのである。
【００１８】
請求項３に記載の発明によれば、ユニット本体が、肉厚内部に発泡スチロールの充填された空洞部を有するガラス繊維補強セメント成型品であるため、軽量かつ堅牢であり、排水溝ユニットの取扱いが容易である。
【００１９】
請求項４に記載の発明によれば、ユニット本体に対する現場でのモルタル塗り作業によって排水溝に排水勾配を付けるので、ユニット本体の設置レベルに多少の誤差があっても所定の排水勾配を付けることができ、外観的にもスラブのコンクリートに良く馴染み、違和感を与えないで済む。
【図面の簡単な説明】
【００２０】
【図１】本発明に係る排水溝ユニットの斜視図である。
【図２】排水溝ユニットの平面図である。
【図３】図２のＡ−Ａ断面図である。
【図４】図２のＢ−Ｂ断面図である。
【図５】図２のＣ−Ｃ断面図である。
【図６】上記の排水溝ユニットを用いたバルコニーの排水構造の概略縦断側面図である。
【図７】排水溝ユニットの設置方法を説明する斜視図である。
【図８】バルコニーの排水構造における要部の平面図である。
【図９】バルコニーの排水構造における要部の縦断側面図である。
【図１０】バルコニーの排水構造における要部の縦断正面図である。
【図１１】従来例を示すバルコニーの排水構造の概略縦断側面図である。
【発明を実施するための形態】
【００２１】
以下、本発明に係るバルコニーの排水構造とそれに用いる排水溝ユニットを例示図に基づいて説明する。図１〜図５において、１は排水溝ユニットを示す。この排水溝ユニット１は、上面に排水溝２が形成されたユニット本体３と、排水溝２の水下側端部において上下に貫通する状態にユニット本体３と一体化されたルーフドレーン４と、ユニット本体３の両側面から突出した３本の位置決め用鉄筋５とを備えている。ユニット本体３は、ガラス繊維補強セメント成型品であり、図３、図５に示すように、軽量化のために、肉厚内部に発泡スチロール６の充填された空洞部を有している。位置決め用鉄筋５としては、例えば、Ｄ１０のステンレス鋼線が使用される。図６において、７は多層集合住宅等の建物におけるバルコニーを示す。
【００２２】
ルーフドレーン４の上下には、図６、図９に示すように、バルコニー７の建物外壁側端部（住戸側端部）近傍に設けた縦樋（共用の縦配管）８を連結可能に構成され、排水溝２からルーフドレーン４を経て縦樋８へと雨水を流下させるように構成されている。排水溝ユニット１をバルコニー７に設置する以前の状態においては、ユニット本体３の排水溝２に排水勾配ｂが付けられておらず、ユニット本体３に対する現場でのモルタル塗り作業によって排水溝３に排水勾配ｂを付けるように構成されている。９は、ユニット本体３に打ち込まれた塩ビの鞘管である。
【００２３】
図６〜図１０は、上記の排水溝ユニット１を用いて構成されたバルコニーの排水構造を示す。図示のバルコニー７は、コンクリートの現場打ちによる鉄筋コンクリート造であって、床部７ａの上面には、外下がりの排水勾配ａが付けられ、先端立上り部（パラペット部）７ｂに沿って側溝７ｃが形成されている。７ｄは先端立上り部（パラペット部）７ｂの上面に立設した手摺である。
【００２４】
バルコニー７の床部７ａには、縦樋８の配置箇所ごとに、夫々、建物外壁側端部からバルコニー７の先端立上り部7ｂに至る開口１０が形成され、バルコニー７を構造的に開口
部扱いとしている。そして、各々の開口１０には、前述した排水溝ユニット１が嵌め込まれ、これらの排水溝ユニット１によって側溝７ｃから縦樋８へと雨水を排水するように構成してある。雨水の他、バルコニー７に設置された洗濯機や掃除用流し等からの雑排水も排水される場合もある。
【００２５】
具体的には、図７に示すように、排水溝ユニット１をバルコニー用型枠（図示せず）の所定位置に配置し、ユニット本体３の両側面から突出した位置決め用鉄筋５でスラブ筋１１に固定した状態で、バルコニー７のスラブコンクリートを打設することにより、排水溝ユニット１を開口１０に嵌め込まれた状態に打ち込み、バルコニー７と一体化してある。しかる後、図９、図１０に示すように、ユニット本体３の排水溝２にモルタル１２を塗布して、バルコニー７の床部７ａ上面とは逆方向の排水勾配ｂを付け、側溝７ｃに集められた雨水を排水溝２によって建物外壁側へと流下案内し、ルーフドレーン４を経て縦樋８へと排水するように構成してある。排水溝２の底面（モルタル１２の上面）には塗膜防水（図示せず）が施され、ユニット本体３と開口１０の縁部との間には、シール材１３が施されている。
【００２６】
上記の構成によれば、縦樋８をバルコニー７の建物外壁側端部近傍に設けた排水構造であるにもかかわらず、床部７ａの開口１０に嵌め込まれた排水溝ユニット１によって、床面の先端立上り部（パラペット部）７ｂ側に形成された側溝７ｃから前記縦樋８へと雨水を排水するので、スラブ下の呼び樋（横引き配管）が省略され、スラブ下のすっきりした美麗な外観が得られることになる。
【００２７】
それでいて、バルコニー７の床部７ａに、建物外壁側端部からバルコニー７の先端立上り部7ｂに至る開口１０を形成することにより、バルコニー７を構造的に開口部扱いとし
、開口１０に排水溝ユニット１を嵌め込むので、スラブ厚が薄くなることに起因する建物外壁側スラブ下へのクラック発生を防止できる。
【００２８】
また、スラブ下に呼び樋（横引き配管）を取り付けるためのバルコニー端部での上向きの高所作業が無くなるので、施工性が良く、安全性も向上することになる。
【００２９】
尚、上記の実施形態では、バルコニー７をコンクリートの現場打ちによる鉄筋コンクリート造としたが、本発明は、バルコニー７をプレキャストコンクリート製やハーフプレキャストコンクリート製とする場合にも、適用可能である。
【符号の説明】
【００３０】
１  排水溝ユニット
２  排水溝
３  ユニット本体
４  ルーフドレーン
５  位置決め用鉄筋
６  発泡スチロール
７  バルコニー
７ａ  床部
７ｂ  先端立上り部
７ｃ  側溝
７ｄ  手摺
８  縦樋
９  鞘管
１０  開口
１１  スラブ筋
１２  モルタル
１３  シール材
ａ  排水勾配
ｂ  排水勾配
Ｘ  呼び樋（横引き配管）
【図１】
0005604260.tif 000002
【図２】
0005604260.tif 000003
【図３】
0005604260.tif 000004
【図４】
0005604260.tif 000005
【図５】
0005604260.tif 000006
【図６】
0005604260.tif 000007
【図７】
0005604260.tif 000008
【図８】
0005604260.tif 000009
【図９】
0005604260.tif 000010
【図１０】
0005604260.tif 000011
【図１１】
0005604260.tif 000012